(57)【要約】  物品のための紐締めシステムは、張力付与機構（１００４，１７０２，１８０２，１８０８，１９０２，２１０２，２１２２，２２０２，２３０２，２４０２，２５０２，２５０８，２６０２，２７０２，２８０２，２９０２，３００２，３２０２，３３０２，３４０２，３５０２）と、複数のガイド部材（２４１０Ａ）と、張力付与機構（１００４，１７０２，１８０２，１８０８，１９０２，２１０２，２１２２，２２０２，２３０２，２４０２，２５０２，２５０８，２６０２，２７０２，２８０２，２９０２，３００２，３２０２，３３０２，３４０２，３５０２）と動作可能に結合されており、複数のガイド部材（２４１０Ａ）を介して物品の紐（１０４，１０６，１５０６，１６０４，２４０６，２４０８，２５０６，２７０６，２７０８，７１４）の経路に沿って送られる紐（１０４，１０６，１５０６，１６０４，２４０６，２４０８，２５０６，２７０６，２７０８，７１４）とを含むことができる。紐（１０４，１０６，１５０６，１６０４，２４０６，２４０８，２５０６，２７０６，２７０８，７１４）は、紐（１０４，１０６，１５０６，１６０４，２４０６，２４０８，２５０６，２７０６，２７０８，７１４）の第１の部分（２５０６，２６０６）が、張力付与機構（１００４，１７０２，１８０２，１８０８，１９０２，２１０２，２１２２，２２０２，２３０２，２４０２，２５０２，２５０８，２６０２，２７０２，２８０２，２９０２，３００２，３２０２，３３０２，３４０２，３５０２）から紐（１０４，１０６，１５０６，１６０４，２４０６，２４０８，２５０６，２７０６，２７０８，７１４）の経路の上端（１５１０，１５１２，１６１２，１６１４）に直に送られ、紐（１０４，１０６，１５０６，１６０４，２４０６，２４０８，２５０６，２７０６，２７０８，７１４）の第２の部分（２５０８，２６０８）が張力付与機構（１００４，１７０２，１８０２，１８０８，１９０２，２１０２，２１２２，２２０２，２３０２，２４０２，２５０２，２５０８，２６０２，２７０２，２８０２，２９０２，３００２，３２０２，３３０２，３４０２，３５０２）から、紐（１０４，１０６，１５０６，１６０４，２４０６，２４０８，２５０６，２７０６，２７０８，７１４）の経路の底端（１６１４）に隣接する位置に直に送られるように、紐（１０４，１０６，１５０６，１６０４，２４０６，２４０８，２５０６，２７０６，２７０８，７１４）の経路に沿って送られる。張力付与機構（１００４，１７０２，１８０２，１８０８，１９０２，２１０２，２１２２，２２０２，２３０２，２４０２，２５０２，２５０８，２６０２，２７０２，２８０２，２９０２，３００２，３２０２，３３０２，３４０２，３５０２）を介して紐（１０４，１０６，１５０６，１６０４，２４０６，２４０８，２５０６，２７０６，２７０８，７１４）を緊張させることによって、紐（１０４，１０６，１５０６，１６０４，２４０６，２４０８，２５０６，２７０６，２７０８，７１４）の経路の上端（１５１０，１５１２，１６１２，１６１４）、および、紐（１０４，１０６，１５０６，１６０４，２４０６，２４０８，２５０６，２７０６，２７０８，７１４）の経路の底端（１６１４）に隣接する位置が、最初に緊張する。
2018530405.tif 000002
【特許請求の範囲】
【請求項１】
履物を締め付ける紐締めシステムであって、対向する側面と、前記履物の先芯の近くに位置決めされた底端、前記底端に対向して位置決めされている上端、ならびに、前記上端および前記底端からほぼ等距離にある中間部分を有する、前記対向する側面の間に延伸する紐経路とを有し、前記紐締めシステムは、
張力付与機構と、
前記履物に結合された複数のガイド部材と、
前記張力付与機構と動作可能に結合され、前記複数のガイド部材を介して前記紐経路に沿って前記履物の周りに送られる紐と
を備え、前記紐は、第１の部分および第２の部分を備え、前記第１の部分および前記第２の部分は、前記張力付与機構の動作が前記第１の部分と前記第２の部分の両方を同時に緊張させるように、各々前記張力付与機構に動作可能に結合されており、
前記紐は、前記紐経路に沿って、
前記第１の部分が、前記張力付与機構から前記紐経路の前記上端に直に送られ、前記上端から前記紐経路の前記中間部分に向かって送られ、かつ
前記第２の部分が、前記張力付与機構から前記紐経路の前記中間部分に隣接するように直に送られ、そこから前記紐経路の前記底端に向かって送られ、前記第１の紐部分および前記第２の紐部分の緊張が、前記紐経路の前記上端および前記中間部分を直ちに緊張させ、それにより前記履物の対応する部分を直に締め付けるように、送られ、
前記紐は、前記第１の部分が前記紐経路の前記中間部分と前記底端との間で前記第２の部分に接続されている一体部材である、紐締めシステム。
【請求項２】
前記紐経路の周りの前記第１の部分または前記第２の部分の動きを制限する停止部材をさらに備える、請求項１に記載の紐締めシステム。
【請求項３】
前記張力付与機構は、前記履物の前皮部分の中央、前記履物のアイステイに隣接する前記履物の側面、または前記履物のソールに隣接する位置のうちの１つにおいて前記履物と結合されている、請求項１に記載の紐締めシステム。
【請求項４】
前記第１の部分または前記第２の部分は、前記張力付与機構からチューブを介してそれぞれの位置に直接送られる、請求項１に記載の紐締めシステム。
【請求項５】
前記紐の前記第１の部分は、前記張力付与機構から、前記履物のかかとの周りを前記紐経路の前記上端まで送られる、請求項１に記載の紐締めシステム。
【請求項６】
前記張力付与機構は、手動操作可能な回転式の装置、または、電動式の装置を含む、請求項１に記載の紐締めシステム。
【請求項７】
前記複数のガイド部材は、細長いチャネルを有する少なくとも１つのガイドを含む、請求項１に記載の紐締めシステム。
【請求項８】
前記複数のガイド部材は、前記細長いチャネルを有する前記ガイドよりも短い長手方向長さを有する第２のガイドをさらに含み、前記細長いチャネルを有する前記ガイドは、前記第２のガイドの対向する端部が前記細長いチャネルを有する前記ガイドの対向する端部間に配置されるように、前記紐経路に関して前記第２のガイドから横方向に外側に位置決めされている、請求項７に記載の紐締めシステム。
【請求項９】
履物を締め付ける紐締めシステムであって、前記物品は、底端および上端を有する紐経路を有し、前記紐締めシステムは、
張力付与機構と、
前記紐経路に沿って前記物品に結合された複数のガイド部材と、
前記張力付与機構と動作可能に結合され、前記複数のガイド部材を介して前記紐経路に沿って送られる紐と
を備え、前記紐は、第１の部分および第２の部分を備え、前記第１の部分および前記第２の部分は、前記張力付与機構の動作が前記第１の部分と前記第２の部分の両方を同時に緊張させるように、各々前記張力付与機構に動作可能に結合されており、
前記紐は、前記紐経路に沿って、
前記第１の部分が、前記張力付与機構から前記紐経路の前記上端に直に送られ、前記上端から前記紐経路の前記底端に向かって送られ、かつ
前記第２の部分が、前記張力付与機構から前記紐経路の前記底端に隣接する位置に直に送られ、それにより前記第１の紐部分および前記第２の紐部分の緊張が、前記紐経路の前記上端および前記底端に隣接する前記位置を直ちに緊張させるように、送られる、紐締めシステム。
【請求項１０】
前記紐経路の前記底端に隣接する前記位置は、前記上端および前記底端から等距離にある位置であり、前記紐の前記第２の部分は、前記紐経路の前記底端に隣接する前記位置から前記紐経路の前記底端に向かって送られる、請求項９に記載の紐締めシステム。
【請求項１１】
前記紐経路の前記底端に隣接する前記位置は前記紐経路の前記底端にあり、前記張力付与機構を介して前記紐の前記第１の部分および前記第２の部分を緊張させることによって、前記紐経路の前記上端および前記底端が直ちに緊張するように、前記紐の前記第２の部分が、前記紐経路の前記底端から前記紐経路の前記上端に向かって送られる、請求項９に記載の紐締めシステム。
【請求項１２】
物品を締め付けるための紐締めシステムであって、前記物品は、底端および上端を有する紐経路を有し、前記紐締めシステムは、
張力付与機構と、
前記張力付与機構と動作可能に結合されており、前記紐経路に沿って送られる紐であって、前記紐は、第１の部分および第２の部分を備え、前記第１の部分および前記第２の部分は各々、前記張力付与機構の動作が、前記第１の部分と前記第２の部分の両方を同時に緊張させるように、前記張力付与機構と動作可能に結合されている、紐と、
前記物品に取り付けられている第１のガイド部材であって、前記第１のガイド部材は、前記紐経路に沿って長手方向に整列し、前記紐の前記第１の部分を前記紐経路に沿って送るように構成されたルーメンまたはチャネルを有する、第１のガイド部材と、
前記物品に取り付けられている第２のガイド部材であって、前記第２のガイド部材は、前記紐経路に沿って長手方向に整列し、前記紐の前記第２の部分を前記紐経路に沿って送るように構成されたルーメンまたはチャネルを有する、第２のガイド部材とを備え、
前記第２のガイド部材の前記ルーメンまたは前記チャネルの長さは、前記第１のガイド部材の前記ルーメンまたは前記チャネルの長さよりも長く、
前記第２のガイド部材は、前記紐経路に沿って、前記第１のガイド部材に関して、前記第１のガイド部材の前記ルーメンまたは前記チャネルの対向する端部が、前記第２のガイド部材の前記ルーメンまたは前記チャネルの対向する端部の間に配置されるように位置決めされている、紐締めシステム。
【請求項１３】
前記第２のガイド部材は、前記紐経路に関して前記第１のガイド部材の横方向に外側に位置決めされ、または前記第１のガイド部材からオフセットされている、請求項１２に記載の紐締めシステム。
【請求項１４】
前記第２のガイド部材はチューブ構成要素である、請求項１２に記載の紐締めシステム。
【請求項１５】
前記紐の前記第２の部分は、前記第１のガイド部材の前記ルーメンまたは前記チャネルを通って位置決めされている、請求項１２に記載の紐締めシステム。
【請求項１６】
紐締めシステムを物品と結合する方法であって、
張力付与機構を前記物品と結合するステップと、
底端および上端を有する紐経路を画定するように、複数のガイド部材を前記物品と結合するステップと、
前記張力付与機構の動作が前記紐の前記第１の部分と前記第２の部分の両方を同時に緊張させるように、紐の第１の部分および第２の部分を前記張力付与機構と結合するステップと、
前記紐を、前記複数のガイド部材を介して前記紐経路に沿って、
前記第１の部分が、前記張力付与機構から前記紐経路の前記上端に直に送られ、前記上端から前記紐経路の前記底端に向かって送られ、かつ
前記第２の部分が、前記張力付与機構から前記紐経路の前記底端に隣接する位置に直に送られ、それにより前記第１の紐部分および前記第２の紐部分の緊張が、前記紐経路の前記上端および前記底端に隣接する前記位置を直ちに緊張させるように、送るステップと
を含む、方法。
【請求項１７】
前記紐経路の前記底端に隣接する前記位置は、前記上端および前記底端から等距離にある位置であり、前記紐の前記第２の部分は、前記紐経路の前記底端に隣接する前記位置から前記紐経路の前記底端に向かって送られる、請求項１６に記載の方法。
【請求項１８】
前記第２の部分は前記張力付与機構から前記紐経路の前記底端に直に送られ、前記張力付与機構を介して前記紐の前記第１の部分および前記第２の部分を緊張させることによって、前記紐経路の前記上端および前記底端が直ちに緊張するように、前記紐の前記第２の部分が、前記紐経路の前記底端から前記紐経路の前記上端に向かって送られる、請求項１６に記載の方法。
【請求項１９】
前記物品は靴であり、前記第１の部分または前記第２の部分は前記靴のかかとまたは襟ぐりの周りに送られる、請求項１６に記載の方法。
【請求項２０】
前記物品は靴であり、前記張力付与機構は前記靴のかかとに位置決めされる、請求項１６に記載の方法。
【発明の詳細な説明】
【技術分野】
【０００１】
関連出願の相互参照
[0001]本出願は、本明細書に全体が記載されているかのように、すべての目的のために開示内容全体が参照により本明細書に組み込まれる、２０１６年５月２日に出願された「履物のための紐構成（Ｌａｃｅ  Ｃｏｎｆｉｇｕｒａｔｉｏｎｓ  ｆｏｒ  Ｆｏｏｔｗｅａｒ）」と題する米国仮出願第１５／１４４，４９８号および２０１５年１０月１５日に出願された「履物のための紐構成（Ｌａｃｅ  Ｃｏｎｆｉｇｕｒａｔｉｏｎｓ  ｆｏｒ  Ｆｏｏｔｗｅａｒ）」と題する米国仮特許出願第６２／２４２，１４５号に対する優先権を主張する。
【背景技術】
【０００２】
[0002]履物ならびに閉じられおよび／または締め付けられる他の物品は、紐、コード、または他の張力部材を含むことが多い。紐は、履物または物品を閉じおよび／または締め付けるために狭くされ得る開口に及ぶように、典型的には履物または物品上に位置決めされる。紐が緊張して履物または物品を閉じおよび／または締め付けると、履物または物品の緩みまたは開放を防止するために張力部材を固定することができる。紐は、典型的には、履物または物品の開口を中心として対称な経路に沿って位置決めされる。
【０００３】
[0003]靴は、そのような紐を利用する履物の一般的な例である。具体的には、多くの靴は、靴紐の対向する端部が靴のスロートまたは襟ぐりに隣接し、靴紐が前皮または開口の長さに沿って靴の前皮または開口に沿って対称的に通されるように、靴の前皮または開口分に沿って位置決めされた靴紐を含む。靴紐の中間部分は、前皮または開口の遠位端に配置されることが多く、これは通常、先芯の近くにある。
【発明の概要】
【０００４】
[0004]本明細書における実施形態は、履物および物品のための紐締めシステムを提供する。紐締めシステムは、紐のずれに関連する悪影響を最小限にするために、および／または履物または物品のより均一で、さらには閉鎖を提供するために利用され得る独自の紐経路を有する。一実施形態によれば、履物を締めるための紐締めシステムが提供される。履物は、対向する側面と、対向する側面の間に延伸する紐経路とを含む。紐経路は、履物の先芯の近くに位置決めされた底端と、底端に対向して位置決めされた上端と、上端および底端からほぼ等距離にある中間部分とを含む。紐締めシステムは、張力付与機構と、履物に結合された複数のガイド部材とを含む。紐締めシステムはまた、張力付与機構と動作可能に結合され、複数のガイド部材を介して紐経路に沿って履物の周りに送られる紐をも含む。この紐は、第１の部分および第２の部分を含み、これらの部分は各々、張力付与機構の動作が第１の部分と第２の部分の両方を同時に緊張させるように、張力付与機構と動作可能に結合される。第１の部分が張力付与機構から紐経路の上端に直接送られ、上端から紐経路の中間部分に向かって送られるように、また、第２の部分が張力付与機構から紐経路の隣接する中間部分に直接送られ、中間部分から紐経路の底端に向かって送られるように、紐は紐経路に沿って送られる。紐の第１の部分および第２の部分の張力付与は、紐経路の上端および中間部分を直ちに緊張させ、それによって、履物の対応する部分を直ちに締め付ける。各実施形態において、紐は、第１の部分が紐経路の中間部分と底端との間で第２の部分に接続された単一部材であってもよい。
【０００５】
[0005]いくつかの実施形態では、紐締めシステムはまた、紐経路の周りの紐の第１の部分および／または第２の部分の動きを制限する停止部材を含むこともできる。一実施形態によれば、張力付与機構は、履物の前皮部分の中央、アイステイに隣接する履物の側面、または履物のソールに隣接する位置のうちの１つにおいて履物と結合されてもよい。紐の第１の部分および／または第２の部分は、張力付与機構からチューブを介してそれぞれの位置に直接送られてもよい。紐は、張力付与機構から、履物のかかとの周りを紐経路の上端まで送ることができる。張力付与機構は、手動操作可能な回転式の装置であってもよいし、または、電動式の装置であってもよい。
【０００６】
[0006]一実施形態によれば、複数のガイド部材は、細長いチャネルを有する少なくとも１つのガイドを含む。上記実施形態では、複数のガイド部材は、細長いチャネルを有するガイドよりも短い長手方向長さを有する第２のガイドを含むこともできる。細長いチャネルを有するガイドは、第２のガイドの対向する端部が細長いチャネルを有するガイドの対向する端部の間に配置されるように、紐経路に関して第２のガイドから横方向に外側に位置決めされてもよい。
【０００７】
[0007]別の実施形態によれば、物品を締めるための紐締めシステムが提供される。この物品は、底端および上端を有する紐経路を含む。紐締めシステムは、張力付与機構と、紐経路に沿って物品に結合された複数のガイド部材とを含む。紐締めシステムはまた、張力付与機構と動作可能に結合され、複数のガイド部材を介して紐経路に沿って送られる紐をも含む。この紐は、第１の部分および第２の部分を含み、これらの部分は各々、張力付与機構の動作が第１の部分と第２の部分の両方を同時に緊張させるように、張力付与機構と動作可能に結合される。第１の部分が張力付与機構から紐経路の上端に直接送られ、上端から紐経路の底端に向かって送られるように、また、第２の部分が張力付与機構から紐経路の底端に隣接する位置へと直接送られるように、紐は紐経路に沿って送られる。張力付与機構を介して紐の第１の部分および第２の部分を緊張させることにより、紐経路の上端、および、底端に隣接した位置が直ちに緊張する。
【０００８】
[0008]いくつかの実施形態では、紐経路の底端に隣接する位置は、上端および底端から等距離にある位置である。このような実施形態では、紐の第２の部分は、紐経路の底端に隣接する位置から紐経路の底端に向かって送られる。他の実施形態では、紐経路の底端に隣接する位置は、紐経路の底端にある。そのような実施形態では、張力付与機構を介して紐の第１の部分および第２の部分を緊張させることによって、紐経路の上端および底端が直ちに緊張するように、紐の第２の部分が、紐経路の底端から紐経路の上端に向かって送られる。紐は、第１の部分および第２の部分が接続された単一部材であってもよく、または第１の部分および第２の部分は、各々が物品および／または張力付与機構上で終端する別個の部分であってもよい。
【０００９】
[0009]別の実施形態によれば、物品を締めるための紐締めシステムが提供される。物品は、底端および上端を有する紐経路を有し、紐締めシステムは、張力付与機構と、張力付与機構と動作可能に結合された紐とを含む。紐は紐経路に沿って送られる。この紐は、第１の部分および第２の部分を含み、これらの部分は各々、張力付与機構の動作が第１の部分と第２の部分の両方を同時に緊張させるように、張力付与機構と動作可能に結合される。紐締めシステムはまた、物品に取り付けられた第１のガイド部材を含む。第１のガイド部材は、紐経路に沿って長手方向に整列され、紐の第１の部分を紐経路に沿って送るように構成されたルーメンまたはチャネルを含む。紐締めシステムはまた、物品に取り付けられた第２のガイド部材をさらに含む。第２のガイド部材は、紐経路に沿って長手方向に整列され、紐の第２の部分を紐経路に沿って送るように構成されたルーメンまたはチャネルを含む。第２のガイド部材のルーメンまたはチャネルの長さは、第１のガイド部材のルーメンまたはチャネルの長さより長くてもよく、第２のガイド部材は、紐経路に沿って、第１のガイド部材に関して、第１のガイド部材のルーメンまたはチャネルの対向する端部が、第２のガイド部材のルーメンまたはチャネルの対向する端部の間に配置されるように位置決めされてもよい。このようにして、第２のガイド部材のルーメンまたはチャネルを通って送られる第２の紐部分は、第１のガイド部材のルーメンまたはチャネルを通って送られる紐の第１の部分を迂回する（すなわち、通り越して送られる）。
【００１０】
[0010]いくつかの実施形態では、第２のガイド部材は、紐経路に関して第１のガイド部材の横方向に外側に位置決めされ、または第１のガイド部材からオフセットされる。第２のガイド部材および／または第１のガイド部材は、チューブ構成要素であってもよい。いくつかの例では、紐の第１の部分および紐の第２の部分が各々第１のガイド部材を通じて位置決めされるように、紐の第２の部分は、第１のガイド部材のルーメンまたはチャネルを通じて位置決めされてもよい。
【００１１】
[0011]別の実施形態によれば、紐締めシステムを物品と結合する方法が提供される。この方法は、張力付与機構を物品に結合するステップと、底端および上端を有する紐経路を画定するように、複数のガイド部材を物品と結合するステップとを含む。本方法はまた、張力付与機構の動作が紐の第１の部分と第２の部分の両方を同時に緊張させるように、紐の第１の部分および第２の部分を張力付与機構と結合するステップをも含む。本方法は、第１の部分が張力付与機構から紐経路の上端に直接送られ、上端から紐経路の底端に向かって送られるように、また、第２の部分が張力付与機構から紐経路の底端に隣接する位置へと直接送られるように、複数のガイド部材を介して紐経路に沿って紐を送るステップをさらに含む。この紐経路には、張力付与機構を介して紐の第１の部分および第２の部分を緊張させることにより、紐経路の上端、および、底端に隣接した位置が直ちに緊張するような効果がある。
【００１２】
[0012]いくつかの実施形態では、物品は靴であり、紐の第１の部分または第２の部分は靴のかかとまたは襟ぐりの周りに送られる。物品が靴である実施形態では、張力付与機構は靴のかかとに位置決めされてもよい。
【００１３】
[0013]本発明は添付の図面と関連して説明される。
【図面の簡単な説明】
【００１４】
【図１】紐の動的紐シフトを制限し、かつ／またはより均一な締め付けを提供する靴の紐経路の一実施形態を示す図である。
【図２】紐の動的紐シフトを制限し、かつ／またはより均一な締め付けを提供する靴の紐経路の他の実施形態を示す図である。
【図３】紐の動的紐シフトを制限し、かつ／またはより均一な締め付けを提供する靴の紐経路の他の実施形態を示す図である。
【図４】紐経路が、紐のためのガイドとして機能するストラップを介して画定される、紐経路の別の実施形態を示す図である。
【図５】紐の動的紐シフトを制限し、かつ／またはより均一な締め付けを提供する靴の紐経路の他の実施形態を示す図である。
【図６】紐の動的紐シフトを制限し、かつ／またはより均一な締め付けを提供する靴の紐経路の他の実施形態を示す図である。
【図７】ブーツまたはハイカットシューズに適用される、本明細書に記載されている紐締め構成を示す図である。
【図８】ブーツまたはハイカットシューズに適用される、本明細書に記載されている紐締め構成を示す図である。
【図９Ａ】紐のシフトをさらに最小化または防止する停止構成要素を含むガイドを示す図である。
【図９Ｂ】紐のシフトをさらに最小化または防止する停止構成要素を含むガイドを示す図である。
【図１０】紐のシフトをさらに最小化または防止する停止構成要素を含むガイドを示す図である。
【図１１】紐のシフトを防止し、上側ゾーンおよび下側ゾーンに張力差が加えられることを可能にする構成要素を含むガイドを示す図である。
【図１２】紐のシフトを防止し、上側ゾーンおよび下側ゾーンに張力差が加えられることを可能にする構成要素を含むガイドを示す図である。
【図１３】紐のシフトを防止し、上側ゾーンおよび下側ゾーンに張力差が加えられることを可能にする構成要素を含むガイドを示す図である。
【図１４Ａ】１つまたは複数の張力ゾーンにおける紐の張力を増加させるために使用され得る追加の構成要素を含むブーツに適用される紐締め構成を示す図である。
【図１４Ｂ】１つまたは複数の張力ゾーンにおける紐の張力を増加させるために使用され得る追加の構成要素を含むブーツに適用される紐締め構成を示す図である。
【図１５Ａ】紐が挿入されることができるルーメンを有する張力付与機構を含む紐締めシステムを示す図である。
【図１５Ｂ】紐の対向する端部を取り付けるかまたは結合するために使用され得る取り付け機構の実施形態を示す図である。
【図１５Ｃ】紐の対向する端部を取り付けるかまたは結合するために使用され得る取り付け機構の実施形態を示す図である。
【図１６】動的紐シフトを制限することができ、かつ／または靴のより均一な締め付けを提供する紐経路を有する靴の別の実施形態を示す図である。
【図１７】ハイカットシューズまたはブーツの一実施形態を示す図である。
【図１８】紐の一部が紐経路の遠位端に直ちに送られる、靴の紐経路の実施形態を示す図である。
【図１９】紐の一部が紐経路の遠位端に直ちに送られる、靴の紐経路の実施形態を示す図である。
【図２０】紐の一部が紐経路の遠位端に直ちに送られる、靴の紐経路の実施形態を示す図である。
【図２１】紐の一部が紐経路の遠位端に直ちに送られる、靴の紐経路の実施形態を示す図である。
【図２２】紐の一部が紐経路の遠位端に直ちに送られる、靴の紐経路の実施形態を示す図である。
【図２３】紐の一部が紐経路の遠位端に直ちに送られる、靴の紐経路の実施形態を示す図である。
【図２４】非対称紐経路を含む医療機器の実施形態を示す図である。
【図２５】非対称紐経路を含む医療機器の実施形態を示す図である。
【図２６Ａ】非対称紐経路を含む医療機器の実施形態を示す図である。
【図２６Ｂ】非対称紐経路を含む医療機器の実施形態を示す図である。
【図２７】靴またはブーツのための代替的な紐経路構成の実施形態を示す図である。
【図２８】靴またはブーツのための代替的な紐経路構成の実施形態を示す図である。
【図２９】靴またはブーツのための代替的な紐経路構成の実施形態を示す図である。
【図３０】靴またはブーツのための代替的な紐経路構成の実施形態を示す図である。
【図３１】靴のかかとまたは襟ぐりの周りを紐の一部分が送られる一実施形態を示す図である。
【図３２】張力付与機構が靴のかかとの上に位置決めされている靴の実施形態を示す図である。
【図３３】張力付与機構が靴のかかとの上に位置決めされている靴の実施形態を示す図である。
【図３４】張力付与機構からの不均一な紐放出に起因する問題を排除または最小化するために使用され得る構成要素の一実施形態を示す図である。
【図３５】前皮とかかととの間の靴の側面に結合された張力付与機構を示す図である。
【００１５】
[0033]添付の図面において、類似の構成要素および／または特徴は、同じ参照数字ラベルを有することができる。さらに、同じタイプの様々な構成要素は、類似の構成要素および／または特徴の間で区別する文字を参照ラベルに後続させることによって区別することができる。最初の参照数字ラベルのみが本明細書で使用される場合、説明は、添え文字に関係なく同じ最初の参照数字ラベルを有する類似の構成要素および／または特徴のいずれかに適用可能である。
【発明を実施するための形態】
【００１６】
[0034]以下の説明は、例示的な実施形態を提供するに過ぎず、本開示の範囲、適用性または構成を限定するようには意図されていない。むしろ、例示的な実施形態の以下の説明は、当業者に、１つまたは複数の例示的な実施形態を実施することを可能にする説明を提供する。添付の特許請求の範囲に記載された本発明の精神および範囲から逸脱することなく、要素の機能および構成に様々な変更を加えることができることが理解される。
【００１７】
[0035]本明細書に記載の実施形態は、ユーザの足の周りの履物の適合性を改善する閉鎖装置および紐締め構成を提供する。具体的には、紐締め構成は、足の周りの履物の閉鎖を改善し、また、使用中の履物の締め具合または適合性を改善する。紐締め構成は、履物が摩耗するにつれてシフトまたは移動する傾向がある、相対的に低い摩擦をもたらす紐および／またガイド材料を利用する紐締めシステムに特に有用であり得る。例えば、紐は、従来の紐締めシステムと比較して、紐とガイドとの間の摩擦が低減されるため、履物の周りに位置決めされたガイド内を容易にスライドすることができる。同様に、低摩擦は、紐直径が小さいこと（例えば、０．８〜１．２ｍｍなど）に起因してもよく、および／または、紐材料の使用に起因して、増加した曲げ／可撓性を有することができる。
【００１８】
[0036]紐の動的なシフトは、ユーザの動きに起因する靴の曲げおよび撓曲に応答した、靴の１つまたは複数の領域（例えば、かかとまたはつま先近く）内の圧力の増加に起因して生じ得る。例えば、ユーザが歩行、走行、ジャンプ、旋回などすると、ユーザの足および／または脚が靴の上側部分に押し付けられ得、これにより上側部分が曲げられて撓む。靴の屈曲および撓曲は、靴の上側部分の内部またはその近傍に位置決めされた靴の張力の増加を引き起こし、これによって、紐の遠位部分（例えば、つま先の近く）が引き寄せられ、履物のガイド内で紐がスライドまたはシフトする。その結果、靴の上側部分の拡幅または拡大、および、靴の上側部分から取り外されるかまたは遠隔している靴の遠位部分（例えば、つま先領域）の収縮または制限される。
【００１９】
[0037]いくつかの実施形態では、履物によって与えられる支持を増大させ、および／または履物の履き心地を高めるために、履物の部分の繰り返される拡幅／拡大および狭窄／収縮を防止するために紐の動的シフトを防止することが望ましい場合がある。例えば、履物の部分の繰り返される拡幅および狭窄は、ユーザを刺激し、および／またはそうでなければ不快にさせ得る。他の例では、走行またはジャンプに応答して上側前皮が拡大するなど、ユーザの動きに応じた履物の拡幅は、履物によって提供される支持を減少させる可能性がある。
【００２０】
[0038]他の実施形態では、本明細書に記載の紐締め構成は、履物が足の周りで締め付けられ、および／または閉じられる均一性を高めることができる。例えば、紐の張力は、通常、紐を締めるために使用される機構に隣接して最大であり、典型的には、摩擦損失および／または他の張力損失に起因して、紐が締め付け機構から外方に延伸または進行するほど低減される。したがって、締め付け機構に隣接する履物の部分または領域は、締め付け機構から取り外されるか、または締め付け機構から離れた履物の部分または領域よりもわずかに強く締め付けられることが多い。ユーザが履物を着用するにつれて、履物および／またはガイドの周りの紐のシフトに起因して、靴の張力は等しくなるか、またはより均一になり得る。これによって、締め付け機構に隣接する履物の部分または領域がわずかに緩み、締め付け機構から取り外されるか、または締め付け機構から離れた履物の部分または領域よりもわずかに締め付けられる。
履物の領域のこの緩み／締め付けのために、ユーザは、足の周りの履物の初期のおよび所望の適合性または履き心地を達成するために、履物の紐張力を再調整する（すなわち、紐を締めまたは緩める）ことを必要とされ得る。
【００２１】
[0039]本明細書に記載の実施形態は、足の周りの履物のより均一な締め付けおよび／または閉鎖を提供する。上記の利点に加えて、本明細書に記載される紐締め構成のさらなる利点は、動的紐シフトを制限および／または防止する構成要素または構成、履物の異なる部分に異なる締め具合または圧力を加えることを可能にする構成などを含む。上記で実施形態のいくつかの態様および特徴を説明したが、実施形態のさらなる詳細は、本明細書で提供されるいくつかの図面の説明を参照して実現される。
【００２２】
[0040]本明細書に記載され図示されている実施形態の多くは、履物を締めるための紐締めシステムに関する。履物は、対向する側面と、対向する側面の間に延伸する紐経路とを含む。紐経路は、履物の先芯の近くに位置決めされた底端と、底端に対向して位置決めされた上端と、上端および底端からほぼ等距離にある中間部分とを含む。紐締めシステムは、張力付与機構と、履物に結合された複数のガイド部材とを含む。紐締めシステムはまた、張力付与機構と動作可能に結合され、複数のガイド部材を介して紐経路に沿って履物の周りに送られる紐をも含む。この紐は、第１の部分および第２の部分を含み、これらの部分は各々、張力付与機構の動作が第１の部分と第２の部分の両方を同時に緊張させるように、張力付与機構と動作可能に結合される。第１の部分が張力付与機構から紐経路の上端に直接送られ、上端から紐経路の中間部分に向かって送られるように、また、第２の部分が張力付与機構から紐経路の隣接する中間部分に直接送られ、中間部分から紐経路の底端に向かって送られるように、紐は紐経路に沿って送られる。紐の第１の部分および第２の部分の張力付与は、紐経路の上端および中間部分を直ちに緊張させ、それによって、履物の対応する部分を直ちに締め付ける。各実施形態において、紐は、第１の部分が紐経路の中間部分と底端との間で第２の部分に接続された単一部材であってもよい。
【００２３】
[0041]実施形態は履物用途に限定されないことが理解されるべきである。むしろ、本明細書に記載の紐締めシステムは、底端および上端を有する紐経路を含む事実上あらゆる物品を締め付けるために使用され得る。例えば、紐締めシステムは、張力付与機構と、紐経路に沿って物品に結合された複数のガイド部材とを含むことができる。紐締めシステムはまた、張力付与機構と動作可能に結合され、複数のガイド部材を介して紐経路に沿って送られる紐をも含むことができる。この紐は、第１の部分および第２の部分を含むことができ、これらの部分は各々、張力付与機構の動作が第１の部分と第２の部分の両方を同時に緊張させるように、張力付与機構と動作可能に結合される。第１の部分が張力付与機構から紐経路の上端に直接送られ、上端から紐経路の底端に向かって送られるように、また、第２の部分が張力付与機構から紐経路の底端に隣接する位置へと直接送られるように、紐は紐経路に沿って送ることができる。張力付与機構を介して紐の第１の部分および第２の部分を緊張させることにより、紐経路の上端、および、底端に隣接した位置が直ちに緊張することができる。
【００２４】
[0042]本明細書に記載された独特の紐経路は、紐を送る１つまたは複数のガイドを介して達成することができる。例えば、一実施形態によれば、物品を締めるための紐締めシステムは、張力付与機構と、張力付与機構と動作可能に結合され、紐経路に沿って送られる紐とを含むことができる。この紐は、第１の部分および第２の部分を含むことができ、これらの部分は各々、張力付与機構の動作が第１の部分と第２の部分の両方を同時に緊張させるように、張力付与機構と動作可能に結合される。紐締めシステムはまた、物品に取り付けられた第１のガイド部材を含むことができる。第１のガイド部材は、紐経路に沿って長手方向に整列され、紐の第１の部分を紐経路に沿って送るように構成されたルーメンまたはチャネルを有することができる。紐締めシステムはまた、物品に取り付けられた第２のガイド部材をさらに含むことができる。第２のガイド部材は、紐経路に沿って長手方向に整列され、紐の第２の部分を紐経路に沿って送るように構成されたルーメンまたはチャネルを有することができる。第２のガイド部材のルーメンまたはチャネルの長さは、第１のガイド部材のルーメンまたはチャネルの長さより長くてもよく、第２のガイド部材は、紐経路に沿って、第１のガイド部材に関して、第１のガイド部材のルーメンまたはチャネルの対向する端部が、第２のガイド部材のルーメンまたはチャネルの対向する端部の間に配置されるように位置決めされてもよい。このようにして、第２のガイド部材のルーメンまたはチャネルを通って送られる第２の紐部分は、第１のガイド部材のルーメンまたはチャネルを通って送られる紐の第１の部分を迂回する（すなわち、通り越して送られる）。
【００２５】
[0043]ここで図１を参照すると、動的紐シフトを制限し、および／またはより均一な締め付けを提供する靴１００の実施形態が示されている。これは、靴１００の上側部分と中間部分または下側部分の両方を最初にかつ同時に緊張させるように紐を位置決めすることによって達成される。靴１００は、リールベースの装置（以下、リールアセンブリ１０２）のような締め付け機構１０２を含む。リールアセンブリ１０２は、紐１０４を締め付けおよび／または緩めるためにユーザによって把持および回転され得るノブ（番号は付されていない）を含む。リールアセンブリ１０２は、その周りに紐１０４が巻かれる内部チャネルまたはポストを有するスプール（図示せず）を含むことができる。紐１０４の対向する端部は、締め付け機構の動作が紐の対向する端部を同時に緊張させるように、リールアセンブリのスプールと結合される。いくつかの従来のシステムは、締め付け機構の動作が紐の単一の端部のみを緊張させるように、リールアセンブリのスプールと結合された単一の紐端部を含む。図１５Ａに示すように、いくつかの実施形態では、紐１５０６は、対向する紐端部がともに取り付けられ、スプール１５０２に直接取り付けられないように、スプール１５０２のルーメン１５０４を通過することができる。そのような実施形態では、紐１５０６は、スプールのルーメン１５０４を通じてまたはその中でシフトする（すなわち、矢印によって示される）ことができ、これによって、靴１５００の上側および／または下側部分における紐１５０６の長さを調整することができ、それによって、以下に説明するように靴１５００の異なる締め付けを可能にする。紐１５０６の対向する端部は、紐経路に沿って、またはスプール１５０２内で、取り付け機構１５０８を介してともに結合することができる。
【００２６】
[0044]図１５Ｂおよび図１５Ｃは、紐１５０６の対向する端部を取り付けるかまたは結合するために使用され得る取り付け機構１５０８の実施形態を示す。図１５Ｂにおいて、第１の紐端部１５１６は、取り付け機構１５０８の１つの端部１５１０に結合することができ、一方、第２の紐端部１５１４は、取り付け機構１５０８の別の端部１５１２に結合される。取り付け機構１５０８の２つの端部１５１０および１５１２は、ねじ山１５２０または他の何らかの機構を介して互いに結合されてもよい。図１５Ｃにおいて、第１の紐端部１５３２は、フェルール１５３６の一方の端部内に挿入することができ、第２の紐端部１５３４は、フェルール１５３６の反対側の端部内に挿入することができる。次いで、フェルール１５３６は、フェルール１５３６内で紐端部１５３２および１５３４をロックするためにともにクリンプすることができる（１５３８）。
【００２７】
[0045]再び図１を参照すると、リールアセンブリ１０２は、靴１００の側面に位置決めされ、距離Ｘだけ、靴のアイステイから取り外されまたは離れていてもよい。他の実施形態では、リールアセンブリ１０２は、アイステイの縁部に直に隣接してもよく、または接触してもよい。さらに他の実施形態では、リールアセンブリ１０２は、靴１００のアウトソールまたはミッドソール内に「遠隔」に取り付けられてもよい。リールアセンブリ１０２は、靴１００の内側に位置決めされているように示されているが、他の実施形態では、リールアセンブリ１０２は、靴１００の横面に位置決めされてもよい。他の締め付け機構は、ユーザが把持し引っ張ることができる部分または構成要素を有する引っ張りコードを含むことができる。紐１０４を締めるためにさらに他の構成要素が使用されてもよい。例示的なリールに基づく閉鎖装置は、「統合閉鎖装置構成要素および方法（Ｉｎｔｅｇｒａｔｅｄ  Ｃｌｏｓｕｒｅ  Ｄｅｖｉｃｅ  Ｃｏｍｐｏｎｅｎｔｓ  ａｎｄ  Ｍｅｔｈｏｄｓ）」と題する２０１４年６月５日に出願された米国特許出願第１４／２９７，０４７号にさらに記載されている。例示的な引っ張りコードベースの装置は、「紐固定アセンブリおよびシステム（Ｌａｃｅ  Ｆｉｘａｔｉｏｎ  Ａｓｓｅｍｂｌｙ  ａｎｄ  Ｓｙｓｔｅｍ，）」と題する２０１４年１月２８日に出願された米国特許出願第１４／１６６，７９９号にさらに記載されている。
【００２８】
[0046]紐１０４は、靴１００の上側部分から靴１００の下側部分にわたる紐経路に沿って靴１００の前皮部分の周りに位置決めされる。紐１０４は、複数の第１のガイド１１２および第２のガイド１１０を介して紐経路に沿って案内される。第１のガイド１１２は、紐１０４がスライドするチャネルまたはルーメンを含む。いくつかの実施形態では、第２のガイド１１０は、紐１０４が配置されるチューブである。紐１０４は、紐の交差部がおおよそ互いに平行であり、靴のアイステイにほぼ直交するように、靴１００の前皮部分の周りに位置決めされる。この構成により、紐の張力が前皮部分の閉鎖方向に向けられるため、閉じられている靴の対向するアイステイを引っ張るために使用される紐の張力の程度が大きくなる。
【００２９】
[0047]上述のように、紐１０４は、第１のガイド１１２および／または第２のガイド１１０内をスライドすることによって靴１００に対して動的にシフトすることができる。紐１０４は、紐とガイドとの間の摩擦を低減する小さな直径を有することができる。ガイドおよび／または紐はまた、これらの構成要素間の摩耗を低減するために、比較的摩擦の低い材料で作成されてもよい。
【００３０】
[0048]紐１０４は、第１のまたは上側締め付けゾーンＺ１および第２のまたは下側締め付けゾーンＺ２を形成するように、靴の前皮部分の周りに位置決めされる。第１のまたは上側締め付けゾーンＺ１は、チューブ１１０を介してリールアセンブリ１０２を出て、靴１００の上側部分を横切って靴の対向するアイステイの間を、ガイド１１２を介して複数回横断する上側紐部分１０６から形成される。図１は、具体的には、上側紐部分１０６が靴１００の上側を横切って３回横断する上側紐部分１０６を示しているが、上側紐部分１０６は、所望に応じてより多いまたはより少ない回数だけ横断してもよい。上側紐部分１０６が靴１００の上側ポルトインを３回（または任意の他の所望の回数）横切って横断した後、上側紐部分１０６は、チューブ１１０を介して靴１００の遠位端に送られる。第２のまたは下側締め付けゾーンＺ２は、チューブ１１０を介してリールアセンブリ１０２を出て、靴１００の下側部分を横切って靴の対向するアイステイの間を、ガイド１１２を介して複数回横断する下側紐部分１０８から形成される。上側領域Ｚ１と同様に、図１は、靴１００の下側部分を横切って３回横断する下側紐部分１０８を示している。下側紐部分１０８は、靴１００の遠位端において上側紐部分１０６と合流する。
【００３１】
[0049]図１に示すように、上側紐部分１０６は、締め付け機構１０２を出た直後に靴の紐経路の上側部分に沿って横断し、一方、下側紐部分１０８は、締め付け機構１０２を出た直後に靴の紐経路に沿ってほぼ中間または下側部分を横断する。この紐締め構成は、締め付け機構を出たばかりの紐の両方の部分が最初に靴の上側部分を横切って横断し、上側部分を締め付ける従来の紐締めシステムとは異なる。図１の靴の構成（すなわち、靴の上側部分に沿って横断する１つの紐部分と、靴のほぼ中央または下側部分に沿って横断する１つの紐部分）は、紐の動的なシフトを低減し、ユーザの足の周りの靴の比較的均一な閉鎖および／または締め付けを可能にする。この効果は、部分的には、締め付け機構１０２を出たばかりの紐（すなわち、最大張力を有する紐の部分）が、靴の上側部分とほぼ中央または下側部分の両方へと、またはそれらに沿って直ちに送られるために達成される。紐張力は靴１００の上側部分と中央部分の両方において最大であるため、また、上側紐ゾーンＺ１および下側紐ゾーンＺ２は各々三つの紐交差を含むため、各紐ゾーンＺ１およびＺ２内の張力および／または上側および下側ゾーンで経験される摩擦損失はほぼ均一であり、その結果、上側および下側ゾーンＺ１およびＺ２のより均一な張力または締め付けが得られる。従来のシステムでは、締め付け機構を出たばかりの紐の両方の部分が、靴の上側部分を横切って締め付けるため、靴の遠位端で生じる摩擦紐の張力損失が増大し、その結果、最初に上側部分が締め付けられ、その後下側部分が締め付けられるなど、靴の上側部分および下側部分の締め付けが不均一になり得る。
【００３２】
[0050]図１の紐締め構成はまた、靴の上側部分とおおよそ中間部分または下側部分に沿って紐の張力が最大であるため、紐の動的シフトを減少させる。例えば、ユーザの足が靴１００内でシフトして靴１００の上側および／または下側部分に押し付けられると、上側紐部分１０６および下側紐部分１０８の位置決めは、上下のゾーンＺ１およびＺ２における紐の張力の劇的な増大に反作用し、これを制限し、それによって、紐の動的シフトが制限される。紐の動的シフトが低減されるため、靴１００のユーザの足に関する適合性が安定する。
【００３３】
[0051]図１の紐構成の効果の１つは、紐の最低張力部分が靴の遠位端（例えば、靴のつま先部分）ではなく靴１００の側面に位置決めされることである。例えば、図１に示すように、紐部分１１４は、ガイド１１２からの摩擦損失に起因して最小の紐張力を受ける紐１０４の部分である。紐部分１１４は、上側ゾーンＺ１と下側ゾーンＺ２との間で、かつそれらの遠位端にある靴の横面に位置決めされる。従来のシステムでは、紐部分１１４に対応する紐は、典型的には、靴の先芯に隣接するかまたはその近くなど、紐経路の遠位端においてアイステイにほぼ直交するように位置決めされる。紐部分１１４は、紐経路の遠位端（例えば、先芯の近く）ではなく、靴１００の側面に位置決めされているため、上側ゾーンＺ１および下側ゾーンＺ２における張力は、相対的により均一である。いくつかの実施形態では、プルタブ（図２２Ｂ、図３０および図３４を参照）が、チューブ１１０に隣接する紐１０６および１０８と結合されてもよい。プルタブは、紐１０４をリールアセンブリ１０２から引っ張るのを容易にするために、ユーザが把持して引っ張ることができる。プルタブは、スプールおよびリールアセンブリ１０２から紐１０４をより均一に取り出すのを助けることができる。
【００３４】
[0052]本明細書に記載された非対称紐構成の別の態様は、靴または物品が、別の紐ガイドの横方向にオフセットまたは外側に位置決めされ、他方の紐ガイドよりも大きな長手方向経路を含む少なくとも１つの紐ガイドを含むことである。例えば、図１は、第１のガイド１１２ｂの横方向に外側に位置する紐部分１１４（すなわち、紐を案内するガイド）を示す。いくつかの実施形態では、靴１００の第１のガイド（すなわち、第１のガイド１１２および１１２ｂの組み合わせ）が、側方張力ゾーンＴＺ、すなわち、閉じられた靴１００の開口（例えば、前皮部分）を引っ張るために張力が加えられるゾーンを画定することができる。紐部分１１４は、靴１００の張力付与を妨害しないように、張力付与ゾーンＴｚの横方向に外側に位置決めされてもよい。
【００３５】
[0053]図１はまた、第１のガイド１１２ｂの対向する端部が紐部分１１４の対向する端部の中または間に配置されるように、紐部分１１４の長手方向長さＬ１が第１のガイド１１２ｂの長手方向長さＬ２よりも大きいことも示す。本明細書の様々な実施形態に示すように、紐部分１１４に対応する紐ガイドの長手方向の長さは、紐が紐経路の側面に沿ってどこまで送られるかに応じて、複数のガイド（すなわち２つ以上のガイド）よりも大きくなり得る。さらに、他の例示される実施形態では、紐部分１１４に対応する紐ガイドは、一対のウェビングガイド、または紐を送るように構成された任意の他のタイプのガイドから作成されてもよい。紐部分１１４を通って送られる紐は、第１のガイド１１２ｂを通じて送られる紐と実質的に平行であり得る。
【００３６】
[0054]図２は、図１に示したものと同様の紐締めシステム構成を有する靴２００を示す。図１と図２との間の主な違いは、図２の締め付け機構２０２が靴の側面ではなく靴の前皮の上に位置決めされていることである。締め付け機構２０２が靴の前皮に位置決めされる結果として、締め付け機構の内部から紐がより均一に排出され得る。例えば、図１を簡単に参照すると、締め付け機構が靴の側面に位置決めされるとき、靴の前皮部分が開く結果として、上側紐部分（すなわち、１０６）が締め付け機構から、下側紐部分（すなわち、１０８）よりも長く排出されるかあるいは引っ張られる。前皮が靴とヒンジ式に結合されていること、および前皮が枢動するように開くことに起因して、より長い上側紐部分が排出され、その結果、下側部分よりも上側部分の開口が大きくなる。上側紐部分１０６と下側紐部分１０８との両方が締め付け機構のスプールに接続されているため、同じ長さの上側紐部分と下側紐部分がスプールから解かれ、下側紐部分の任意の排出されない長さが締め付け機構の内部に配置されたままになる。下側紐部分の排出されない長さは、締め付け機構の内部で絡み合いもしくは拘束され、または他の紐張力の些細な問題を引き起こす可能性がある。上側紐部分２０６および下側紐部分２０８がより均一に排出されるため、図２の構成は、紐排出の問題を低減する。
【００３７】
[0055]図１の紐締め構成と同様に、上側紐部分２０６は最初に靴２００の上側部分を緊張させおよび／または締め付け、一方、下側紐部分２０８は最初に靴２００の中間部分または下側部分を緊張させる。下側紐部分２０８は、チューブ２０４または任意の他のタイプのガイドを介して靴２００の中間または下側部分に直ちに送られる。
【００３８】
[0056]図３は、上側紐部分３０６および／または下側紐部分３０８が、プラスチックガイドではなくウェビングガイド３０２を介して靴３００の周りを案内されることを除いて、図２の実施形態と同様である。ウェビングガイド３０２は一般的に、布地、または、典型的には圧力点を生成し得るより剛性の材料から構成されたプラスチックガイドよりも軟質の材料から構成される。靴３００の上側部分を１回以上横切った後、上側紐部分３０６は、紐を協働して案内するように機能するウェビングガイド３１０を介して靴３００の遠位端に案内される。同様に、下側紐部分３０８は、紐を協働して案内するように機能するウェビングガイド３１２を介して、靴３００の中間部分または下側部分に直ちに案内される。ウェビングガイド３１０および／または３１２の間に位置する中間ガイド３１４は、紐と靴３００との間の接触を制限する紐テンダまたはガイドとして機能し得る。図３に示すように、ウェビングガイドは、紐を紐経路の周りに案内するために、対になって、または分離して機能することができる。ウェビングガイドが分離して使用される場合、ウェビングガイドは、紐がウェビングガイド内で緊張されるときに適合するように構成することができる。例えば、ウェビングガイドの対向する端部は張力を受けて外側に湾曲または偏向することができる。さらに、実施形態に示されたガイドのいずれかまたはすべては、靴のアイステイ縁部上またはその近くで見ることができ、またはアイステイ縁部の下に隠すことができる。
【００３９】
[0057]図４は、上側紐部分４０６および下側紐部分４０８を案内するために、ウェビングガイドではなく、またはウェビングガイドに加えて、ウェビングストラップ４０２が使用されることを除いて、図３の実施形態と同様である。ウェビングストラップ４０２は、典型的には、布地または他の比較的軟質の材料から構成される。一対のウェビングストラップ４１０が協働して、上側紐部分４０６を靴４００の上側領域から遠位端に送ることができ、一方、一対のウェビングストラップ４１２が協働して、下側紐部分４０８を締め付け機構から靴４００の中間または下側部分に送ることができる。いくつかの実施形態では、１つまたは複数のウェビングストラップ４０２の第１の端部４１４は、靴のアイステイにおいて、またはその近くで靴４００に取り付けることができ、一方、１つまたは複数のウェビングストラップ４０２の第２の端部４１６は、靴のアッパーとソールとの間の境界面において、またはその近くで靴４００に取り付けることができる。その結果、紐の張力がウェビングストラップ４０２に伝達され、ウェビングストラップ４０２は、靴のアッパーを内側にユーザの足に対して同時に引っ張りながら、靴の対向するアイステイを互いに向かって引っ張る。靴のアイステイとソールの両方の近くに紐ガイドを取り付けることに関する追加の詳細は、開示内容全体が参照により本明細書に組み込まれる、２０１５年１０月７日に出願された「電動閉鎖システムの遠隔制御のための装置、方法、およびシステム（Ｄｅｖｉｃｅｓ，Ｍｅｔｈｏｄｓ，ａｎｄ  Ｓｙｓｔｅｍｓ  ｆｏｒ  Ｒｅｍｏｔｅ  Ｃｏｎｔｒｏｌ  ｏｆ  ａ  Ｍｏｔｏｒｉｚｅｄ  Ｃｌｏｓｕｒｅ  Ｓｙｓｔｅｍ）」と題された米国出願第１４／８７７，７５５号明細書に与えられている。
【００４０】
[0058]図５は、靴５００が靴の上側紐部分および下側紐部分を案内するための複数の比較的剛性のガイドを含むことを除いて、上記の他の実施形態と同様である。具体的には、靴５００は、靴５００の上側ゾーンと遠位端との間に上側紐部分を送るため、および／または、下側紐部分を締め付け機構から直ちに靴５００の中間部分または下側部分に送るための細長い中間部分を有する細長いガイド５０２を含む。靴５００はまた、それぞれの紐部分を上側ゾーンおよび／または下側ゾーンに送る第１の比較的短いガイド５０４および／または第２の比較的短いガイド５０６をも含む。いくつかの実施形態では、細長いガイド５０２ならびに／または第１の短いガイド／第２の短いガイド（５０４および／もしくは５０６）は、所望に応じて紐がガイド内に配置されることおよび／またはガイドから取り出されることを可能にする開放チャネルまたは後方部分を有することができる。
【００４１】
[0059]図６は、細長いガイド５０２が、紐がその周りおよびそれを中心に位置決めされるガイドポスト６０２に置き換えられている点を除いて、図５と同様である。ガイドポスト６０２は、靴６００の上側ゾーンと遠位端との間に上側紐部分を送るため、および／または、下側紐部分を締め付け機構から靴６００の中間部分または下側部分に送るために協働して機能する一対のポストを含む。靴６００はまた、紐を上側ゾーンおよび／または下側ゾーン内に送る１つまたは複数のより短いガイド６０４をも含むことができる。靴は、必要に応じて図３〜図６に示すガイドの任意の組み合わせを含むことができることを理解されたい。
【００４２】
[0060]図７および図８は、スノーボードブーツ（図７）または作業ブーツ（図８）のようなブーツに適用されているものとしての、上記の紐締め構成を示している。ブーツは、上側紐部分７０６および下側紐部分７０８を緊張させるように動作可能な締め付け機構７０２を含む。前述したように、上側紐部分７０６は上側ゾーンＺ１における張力付与に影響を与え、下側紐部分７０８は下側ゾーンＺ２における張力付与に影響を与える。上側紐部分７０６をブーツまたは紐経路の上側ゾーンＺ１と遠位端との間に送るために、ブーツの周りに第１の細長いガイド７１０（例えばチューブ）が位置決めされる。第２の細長いガイド７１２が、下側紐部分７０８を締め付け機構７０２からブーツまたは紐経路の中間部分または下側部分に直ちに送るように構成される。上側および下側の紐部分を上側ゾーンＺ１および下側ゾーンＺ２内に案内するために、ブーツの周りに複数の追加のガイド７０７が位置決めされる。ガイド７０７は、所望に応じて比較的細長い構成または短い構成を有してもよい。いくつかの実施形態では、ガイドの全部または一部（すなわち、７０７，７１０、および７１２）は、ガイドが視界から隠れるように、ブーツの外層の下および／またはブーツの層の間に配置される。図７および図８の紐締め構成は、結果として、紐７１４の最も低い紐張力を有する部分が、ブーツの内側または横面に位置決めされるようにする。
【００４３】
[0061]図９Ａ、図９Ｂ、および図１０は、紐のシフトをさらに最小化または防止する停止構成要素を含むガイドを示す。具体的には、上側紐部分８０６を上側ゾーンから靴８００の遠位端に送るために使用される細長いガイド８０２が、紐が露出される中間区画８０５を含む。停止構成要素８１０は、ガイド８０２の中間区画８０５において紐と結合される。停止構成要素８１０は、図１０に示すように、ガイド８０２の中間区画８０５の対向する内側縁部（例えば、縁部８１２）に接触することによって紐のシフトを最小化または防止する。紐のシフトを最小化または防止することによって、靴９００のユーザの足回りの適合性が安定化する。いくつかの実施形態では、ガイド８０２は、下側ゾーン内で紐を案内する内側ガイド部分８１４を含むことができる。下側紐部分を締め付け機構から靴８００の中間部分または下側部分に送る細長いガイド８０４も同様に、必要に応じて停止構成要素および／または内側ガイド部分を含むことができる。
【００４４】
[0062]図９Ａは、靴の前皮の中央に位置決めされた張力付与機構を示し、一方、図９Ｂは、靴のアイステイ上に位置決めされた張力付与機構を示す。いくつかの例では、靴の周りの前皮のシフトを最小にするために、前皮上ではなく、アイステイ上に張力付与機構を位置決めすることが好ましい場合がある。例えば、いくつかの事例において、張力付与機構が前皮上に位置決めされる場合、停止構成要素８１０がガイドの中間区画８０５の内側縁部８１２と係合することによって、張力付与機構が、靴の一方の側面に向かって靴の前皮を引っ張り得、それによって、靴の中で前皮をシフトさせる。張力付与機構をアイステイ上に位置決めすることにより、張力付与機構が前皮に直接結合されないため、靴の前皮のシフトが排除されるかまたは最小限に抑えられる。
【００４５】
[0063]図１１〜図１３は、紐のシフトを防止し、上側ゾーンおよび下側ゾーンに張力差が加えられることを可能にする構成要素を含むガイドを示す。具体的には、上側紐部分１００８を上側ゾーンから靴１０００の遠位端に送るために使用される細長いガイド１００２が、差動張力付与機構１００４を含む。張力付与機構１００４は、ガイド１００２の複数の張力付与位置（すなわち、図示されている位置ａ、ｂ、およびｃ）の１つの中に位置決め可能な張力付与構成要素１００６を含む。いくつかの実施形態では、張力付与構成要素１００６は、円筒状または球状の開口部で移動および位置決めされ得る円筒状または球状の部材である。張力付与構成要素１００６は、張力付与構成要素１００６を下方に押すか、または張力付与構成要素１００６を円筒状または球状の開口から上方および外方に引っ張り、張力付与構成要素１００６を図１２に示すように（例えば、開口ａ、ｂ、またはｃ内で）所望の円筒状または球状の開口部内に位置決めし直すことによって、位置ａ、ｂおよびｃの間を移動することができる。
【００４６】
[0064]張力付与構成要素１００６とそれぞれの円筒状または球状の開口部との間の接触は、ガイド１００２および靴１０００に対する紐のシフトを防止する。
張力付与構成要素１００６をそれぞれの円筒状または球状の開口部内に位置決めすることによって、上側および下側において紐がある程度長くまたは短くもなり、その結果、締め付け機構の動作時に上側ゾーンおよび下側ゾーンに異なる緊張または締め付けがもたらされる。例えば、張力付与構成要素１００６を位置「ａ」に位置決めすることにより、下側ゾーンと比較して上側ゾーンの紐の長さを短くすることができ、それによって上側ゾーンの締め付けを増大させることができる。対照的に、張力付与構成要素１００６を位置「ｃ」に位置決めすることにより、上側ゾーンと比較して下側ゾーンの紐の長さを短くすることができ、それによって下側ゾーンの締め付けを増大させることができる。さらに、張力付与構成要素１００６を位置「ｂ」に位置決めすることにより、上側ゾーンおよび下側ゾーンの紐の長さをおおむね等しくすることができ、それによって上側ゾーンおよび下側ゾーンのほぼ均一な締め付けが達成される。このようにして、ユーザは、靴の上下のゾーンを所望に応じて異なる締め付けにすることができる。細長いガイド１００２および張力付与機構１００４は、図１１に示すように、靴の遠位端の近くに（すなわち靴のつま先領域の近くに）位置決めされてもよく、および／または、図１３に示されるように、靴の近位端の近くに（すなわち、靴の前皮または襟ぐりの近く）位置決めされてもよい。張力付与構成要素１００６をそれぞれの位置の１つに位置決めすることは、それぞれのゾーンの長さを増減するものとして説明されているが、張力付与構成要素１００６をそれぞれのゾーン内で位置決めし直す結果として、実質的に、紐のシフトに起因してそれぞれのゾーン内で張力差がもたらされることは理解されたい。張力付与機構の動作は、それぞれのゾーン内のさらなる張力差をもたらす。
【００４７】
[0065]図１４Ａ〜図１４Ｂは、ブーツ１４００に適用された上述の紐締め構成を示す（図７参照）。具体的には、本明細書において上述したように、ブーツ１４００は、締め付け機構と、上側締め付けゾーンＺ１と、下側締め付けゾーンＺ２と、上側ゾーンと下側ゾーンとの間で紐を送る複数の細長いガイドと、上側ゾーンおよび下側ゾーン内に位置決めされる複数の追加のガイドとを含む。ブーツ１４００の上側ゾーンＺ１および／または下側ゾーンＺ２は、所望により上側ゾーンＺ１および／または下側ゾーンＺ２の緊密性を増減させるためにガイド構成要素１４０２と解放可能に結合可能な追加のガイド１４０４をさらに含む。例えば、図１４Ａに示されるように、ガイド構成要素１４０２は、追加のガイド１４０４から切り離されて、上側ゾーンＺ１および／または下側ゾーンＺ２内で公称またはベースの締め付けを達成することができる。上側ゾーンおよび／または下側ゾーン内でさらなる締め付けが望まれる場合、ガイド構成要素１４０２は、ブーツ１４００の開口を横切って（またはブーツ１４００の紐経路を横切って）横方向に引っ張られ、図１４Ｂに示すように、対応する追加のガイド１４０４と結合され得る。図１４Ｂに示されているようにガイド構成要素１４０２を追加のガイド１４０４と結合することにより、上側ゾーンおよび／または下側ゾーンに追加の紐交差が生じ、対応するゾーンの締め付けおよび／または紐の張力が増加する。したがって、上側ゾーンおよび／または下側ゾーンの緊密性は、所望に応じて制御および／または変更することができる。
【００４８】
[0066]ここで図１６を参照すると、動的紐シフトを制限することができ、かつ／または靴１６００のより均一な締め付けを提供する紐経路を有する靴１６００の別の実施形態が示されている。靴１６００は、紐１６０４を締め付けおよび／または緩めるためにユーザによって把持および回転され得る締め付け機構１６０２を含む。いくつかの従来のシステムは、締め付け機構の動作が紐の単一の端部のみを緊張させるように、リールアセンブリのスプールと結合された単一の紐端部を含む。リールアセンブリ１６０２は、靴のアイステイに隣接する靴１６００の側面に位置決めされる。
【００４９】
[0067]紐１６０４は、靴１６００の前皮部分を横切る紐経路に沿って、紐経路の上部または近位部分または端部１６１２（すなわち、靴の前皮または襟ぐりの近く）と、紐経路の下部または遠位部分または端部１６１４（すなわち、靴の先芯の近く）との間を横切るように位置決めされる。紐１６０４は、紐経路に沿って紐１６０４を案内するために、図示されているように、独立してまたは対（すなわち、ガイド１６１０ａおよび１６１０ｂ）として機能することができる複数のガイド１６１０を介して紐経路に沿って案内される。紐１６０４は、紐の交差部がおおよそ平行であり、靴のアイステイにほぼ直交するように、靴１６００の前皮部分の周りに位置決めされる。この構成により、結果として、より大きい紐張力が、閉じられている靴の対向するアイステイを引っ張るために使用されることになる。
【００５０】
[0068]上側または第１の紐部分１６０６は、リールアセンブリ１６０２を出て、一対のガイドを介して、近位端１６１２と遠位端１６１４との間で等距離にあり得る、または、遠位端１６１４のより近くに位置決めされ得る靴の中央部分に送られる前に、直ちに靴の前皮を横切って横断する。次いで、第１の紐部分１６０６は、第２の紐部分１６０８に合流する前に、靴の前皮を１回以上横断する（２回横断するものとして示されている）。図示されているように、第２の紐部分１６０８は、リールアセンブリ１６０２を出て、一対のガイド１６１０ａおよび１６１０ｂを介して紐経路の底端１６１４に送られる前に、直ちに第１の紐部分１６０６の下で靴の前皮を横切って横断する。次に、第２の紐部分１６０８は、第１の紐部分１６０６と合流する前に、紐経路の底端１６１４において靴の前皮を横切って横断する。
【００５１】
[0069]図１６に示す紐構成の結果として、靴の前皮を横切るカスケード紐張力がもたらされる。例えば、第１の紐部分１６０６および第２の紐部分１６０８は、直ちに紐経路の近位端１６１２を横切って横断するため、結果として、紐経路および靴１６００の近位端の一次張力付与Ｔ１がもたらされる。その後、第１の紐部分１６０６および第２の紐部分１６０８は、紐経路の中間部分に送られて紐経路の中間部分を横断し、結果として、紐経路および靴１６００の中間部分の二次張力付与Ｔ２がもたらされる。その後、第１の紐部分１６０６および第２の紐部分１６０８は、紐経路の底端１６１４に送られて紐経路の底端１６１４を横断し、結果として、紐経路および靴１６００の底端の三次張力付与Ｔ３がもたらされる。
【００５２】
[0070]紐１６０４とガイド１６１０との摩擦係合によって紐１６０４の張力が若干失われると考えると、二次張力Ｔ２は一次張力Ｔ１よりもわずかに低い可能性があり、三次張力Ｔ３は二次張力Ｔ２よりわずかに低い可能性がある。
同様に、一次張力ゾーン（すなわち、張力Ｔ１に関連するゾーン）は、二次張力ゾーン（すなわち、張力Ｔ２に関連するゾーン）よりも前に緊張し、二次張力ゾーンは三次張力ゾーン（すなわち、ゾーン張力Ｔ３に関連するゾーン）よりも前に緊張する。その結果、近位端１６１２と遠位端１６１４との間の紐経路に沿った靴１６００のカスケード式の張力付与および締め付けがもたらされる。図１６は、カスケード式に張力付与する３つのゾーンを有する靴１６００を示しているが、靴１６００をカスケード式に張力付与するより多くの、またはより少ないゾーンが、紐経路に沿って形成され得ることが理解されるべきである。
【００５３】
[0071]図１７は、ハイカットシューズまたはブーツ１７００の一実施形態を示す。第１の紐部分１７０６が、張力付与機構１７０２から靴１７００の紐経路の中間点に送られる。第２の紐部分１７０８は、張力付与機構１７０２から紐経路の上側部分に送られる。第１の紐部分１７０６および第２の紐部分１７０８はその後、それぞれの位置から紐経路に沿って下方に横断し、靴１７００の側面に接続する。紐部分１７０６および１７０８は、１つまたは複数のウェビングガイド１７１２および／またはプラスチックなどのより剛性のタイプの材料で作製され得る構成要素ガイド１７１０を介して紐経路に沿って案内される。構成要素ガイド１７１０および／またはウェビングガイド対１７１２は、靴１７００の相当部分に沿って紐を送る細長い部分を含むことができる。
【００５４】
[0072]靴１７００の紐経路は、紐経路の上側および中間部分の初期張力付与Ｔ１をもたらす。二次張力付与Ｔ２が、紐経路の上側および中間部分の直下を横切る紐で生じ、三次張力Ｔ３が紐経路の底部において生じる。
【００５５】
[0073]図１８〜図２３は、紐の一部が紐経路の遠位端に直ちに送られる実施形態を示す。例えば、図１８は、第１の紐部分１８０６が張力付与機構１８０２から紐経路の近位端に直ちに送られる靴を示す。次いで、第１の紐部分１８０６は、複数の紐ガイドを介して、靴の開口（例えば、前皮部分）を横切って、紐経路の遠位端に向かって横断する。第２の紐部分１８０８が、張力付与機構１８０２から紐経路の遠位端に直ちに送られる。次いで、第２の紐部分１８０８は、複数の紐ガイドを介して、靴の開口を横切って、紐経路の近位端に向かって横断する。２つの紐部分は、紐経路の中間部分において合流して、示されるように単一の一体紐経路を形成する。
【００５６】
[0074]図１８に示す紐構成の効果は、一次張力付与Ｔ１が紐経路の近位端および遠位端において生じ、二次張力付与Ｔ２が近位端および遠位端に直に隣接してその内方に生じることである。第１の紐部分１８０６および第２の紐部分１８０８が合流する紐経路の中間点において、三次張力付与Ｔ３が生じる。紐経路は、紐経路に沿って四次、五次などのような張力付与をもたらすことができる、所望に応じたより多くのまたはより少ない紐交差を含むことができる。
【００５７】
[0075]図１８は、第２の紐部分１８０８が、ともに細長いガイドを形成または画定する１対のウェビングガイド１８１０ａおよび１８１０ｂを介して紐経路の遠位端に送られることを示す。本明細書で説明されるように、ウェビングガイド１８１０ａおよび１８１０ｂによって形成される細長いガイドは、紐経路に沿って紐を送る内側ガイド１８１２から横方向にまたは外側にオフセットされる。ウェビングガイド１８１０ａおよび１８１０ｂによって形成される細長いガイドはまた、内側ガイド１８１２によって画定され、紐を緊張させることによってともに引っ張られる靴の横方向の幅または部分に対応する張力付与ゾーンＴｚからも横方向にまたは外側にオフセットされる。ウェビングガイド１８１０ａおよび１８１０ｂによって形成される細長いガイドは、張力付与ゾーンＴｚから、１／３２インチ以上、より一般的には約１／４または１／２インチであってもよい量Ｘだけ横方向にオフセットされてもよい。
【００５８】
[0076]細長いガイドの長さＬ１、またはより適切には、細長いガイドに沿って横断する、または、細長いガイドに沿って送られる第２の紐部分１８０８の長さは、少なくとも１つの内側紐ガイド１８１２の長さより大きい。図示の実施形態では、細長いガイドの長さＬ１は、複数の内側紐ガイド１８１２の組み合わせ、すなわち、第１の内側紐ガイド対の長さＬ２および第２の内側紐ガイド対の長さＬ３より大きい。細長いガイドおよび内側ガイドは、複数の内側紐ガイド１８１２が細長い紐ガイドの対向する端部内または間に配置されるように配置される。いくつかの例では、細長いガイドを横断するか、または細長いガイドを介して送られる第２の紐部分１８０８も、図示のように１つまたは複数の内側ガイド１８１２の一部を通って配置される。
【００５９】
[0077]図１９〜図２３は、図１８と同様の実施形態を示しており、したがって、図１８の開示は、図１９〜図２３にも等しく適用可能である。図１９は、張力付与機構１９０２がアイステイまたは靴の前皮の締め付け縁部近くで靴の側面に位置決めされた同様の実施形態を示す。第１の紐部分１９０８が締め付け機構から紐経路の近位端において靴の開口を横切って延伸する。第１の紐部分１９０８は、次いで、紐経路の遠位端に送られ、そこから複数のガイドを介して近位端に向かって送られる。第２の紐部分１９０６もまた、締め付け機構から紐経路の近位端において靴の開口を横切って延伸する。第２の紐部分１９０６は、紐ガイドを介して紐経路の近位端から遠位端に向かって送られる。
【００６０】
[0078]紐経路の近位端における第１の紐部分１９０８の最初の交差が紐経路の近位端の一次張力付与Ｔ１を生じることを除いて、紐経路の張力付与は図１８のものと同様である。その後、紐経路の二次張力付与Ｔ２および三次張力付与Ｔ３が、示されているように紐経路に沿って長手方向に比較的均等に鏡像配置される。図１９の紐構成は、靴の襟ぐりの近くでの靴のより近密な適合が望まれる場合で、ただし、先芯の近くでの靴の比較的高い張力および／または紐経路に沿った比較的均一な張力付与を維持することも所望される場合に有益であり得る。
【００６１】
[0079]図２０は、紐がハイカットシューズ、ブーツまたは他の細長い履物の周りに送られることを除いて、図１８と同様の実施形態を示す。第１の紐部分２００６が、締め付け機構２００２から紐経路の遠位端に送られ、そこから複数の紐ガイドを介して紐経路の近位端に向けて送られる。第２の紐部分２００８が、締め付け機構から紐経路の近位端に送られ、そこから紐経路の遠位端に向けて送られる。紐経路の得られる一次、二次、および三次張力付与（すなわち、Ｔ１、Ｔ２、Ｔ３）は、図１８に記載されているように、紐経路に沿って長手方向に鏡像配置される。
【００６２】
[0080]紐部分２００６および２００８はまた、紐が靴に沿ってアイステイまたは靴の開口（すなわち、靴の前皮）の締め付け縁部とほぼ平行に横断するように構成された細長いガイド２０１０を介して、靴の上側部分に沿って紐経路に送られる。紐がこのように靴に沿って横断するため、紐の張力は靴の閉鎖または締め付けに影響せず、摩擦損失は最小限に抑えられる。靴の上側部分の長手方向の座屈または潰れを防止するために、細長いガイド２０１０は、比較的剛性または堅固な材料から作成されてもよい。
【００６３】
[0081]靴は、第１の紐部分２００６と第２の紐部分２００８とが互いに交差するところで、いくらかの閉鎖または締め付けを受ける。しかし、この位置における締め付けは、紐が開口に対して直角ではなく斜めに開口を横断するため、下側紐経路内で経験するよりも小さくなる。
【００６４】
[0082]図２１Ａ〜図２１Ｂは、一対の張力付与システムを含むブーツまたはハイカットシューズを示す。具体的には、ブーツは、ブーツの上側部分に位置決めされ、張力付与機構２１２２の動作がブーツの上側部分の閉鎖および／または締め付けをもたらすように配置されてブーツに結合されている、第１の張力付与システム２１２０を含む。張力付与機構２１２２は、複数のガイドを介してブーツの上側部分の周りに送られる張力部材２１２４と動作可能に結合される。張力部材２１２４は、図示のように、ブーツの上側部分に沿って対称な紐経路を形成するために、上側部分の周りに送ることができる。張力付与機構２１２２の動作は、張力部材２１２４を緊張させ、張力部材２１２４は、ブーツの上側部分を閉じて締め付ける。
【００６５】
[0083]ブーツはまた、ブーツの下側部分を閉じて締め付けるように動作可能な第２の張力付与システム２１００を含む。具体的には、第２の張力付与システム２１００は、第１の紐部分２１０６および第２の紐部分２１０８と動作可能に結合された張力付与機構２１０２を含む。第１の紐部分２１０６は、張力付与機構２１０２からチューブを介して、ブーツの下側部分の周りで紐経路の近位端に送られる。第１の紐部分２１０６は、ブーツの下側部分の開口を横切って延在しており、そこから、チューブを介して、紐経路の遠位端まで送られる。第２の紐部分２１０８は、張力付与機構２１０２からチューブを介して紐経路の中間部分に送られる。第２の紐部分２１０８は、第１の紐部分２１０６と接続する前に、チューブまたは紐ガイドを介して、紐経路の中間部分を横切って２回送られる。図２１Ａ〜図２１Ｂの紐構成の効果は、下側部分の紐経路の近位端に一次張力付与Ｔ１が生じ、下側部分の紐経路の遠位端に二次張力付与Ｔ２が生じることである。
【００６６】
[0084]いくつかの例では、第２の紐部分２１０８は、一次張力付与Ｔ１が紐経路の近位端と遠位端の両方において生じるように、張力付与機構２１０２から紐経路の遠位端に送られてもよい。いくつかの実施形態では、張力付与システム２１００および２１２０は、ブーツの上側部分が図示のように非対称の紐経路を含み、ブーツの下側部分が対称紐経路を含むように、ブーツに関して逆転されてもよい。他の実施形態では、ブーツの上側部分と下側部分の両方が、図示のような非対称の紐経路を含んでもよい。さらに、張力付与機構２１０２は、図示のように下側紐経路から遠隔して靴に取り付けられてもよく、または必要に応じて下側紐経路に隣接するようにブーツに取り付けられてもよい。
【００６７】
[0085]図２２Ａは、靴が靴の開口を横切る紐交差をより少なく含み、細長い紐ガイドが靴の開口の反対側に位置決めされることを除いて、図１８と同様の実施形態を示す。具体的には、第１の紐部分２２０６は、張力付与機構から紐経路の遠位端に直ちに送られ、第２の紐部分２２０８に合流する前に、遠位端を横切って１回横断し、第２の紐部分２２０８は、張力付与機構２２０２から紐経路の近位端に送られる。図２２Ａの紐構成は、紐経路の近位端および遠位端の一次張力付与Ｔ１および紐経路の中間部分の二次張力付与Ｔ２をもたらす。
【００６８】
[0086]図２２Ｂは、靴が靴の開口を横切る紐の交差をより少なく含むことを除いて、図１９と同様の実施形態を示す。具体的には、第１の紐部分２２２６は、最初に紐経路の近位端を横切って、次に遠位端に直ちに送られ、一方、第２の紐部分２２２８は近位端と遠位端の間に靴の開口を横切って送られる。その結果、紐経路の近位部分の一次張力付与Ｔ１および紐経路の遠位部分の二次張力付与Ｔ２がもたらされる。図２２Ｂはまた、張力付与機構の近くで第１の紐部分２２２６および第２の紐部分２２２８に取り付けられ、本明細書において記載されているような張力付与機構からの不均一な紐排出に起因する問題を排除または最小化するために使用され得る構成要素２２２４を含む靴を示す。
【００６９】
[0087]図２３は、紐の交差がより少ないブーツ構成を示している。第１の紐部分２３０６は、張力付与機構２３０２から紐経路の遠位端に送られ、第２の紐部分２３０８は、張力付与機構２３０２から紐経路の近位端に送られる。その結果、紐経路の近位端および遠位端の一次張力付与Ｔ１および紐経路の中間部分の二次張力付与Ｔ２がもたらされる。
【００７０】
[0088]図２４〜図２６Ｂは、本明細書に記載されたものと同様の非対称の紐経路を含む様々な医療機器を示す。図２４は、ユーザの手首の周りに適合して締め付けるように構成された装具２４００を示す。装具２４００は、ユーザが装具２４００を着脱することを可能にするために開閉できる開口２４２０を有する。紐が、図示のような単独のガイド２４１２、または一対のガイド部材２４１０ａおよび２４１０ｂ、またはそれらの組み合わせを含み得るガイド部材を介して、開口２４２０の周りで紐経路に沿って位置決めされ、送られる。ガイド部材は、ウェビング、ストラップ、プラスチック材料などのような可撓性または剛性の材料から作製することができる。
【００７１】
[0089]張力付与機構２４０２は、装具２４００に取り付けられ、紐の第１の部分２４０６および紐の第２の部分２４０８と動作可能に結合される。第１の紐部分２４０６は、装具２４００に沿って長手方向に、張力付与機構２４０２から紐経路の中間点または部分に送られる。第１の紐部分２４０６は、中間点から紐経路の遠位端に向かって送られる。第２の紐部分２４０８は、張力付与機構２４０２から、紐経路の近位端において開口２４２０を横切って横方向に送られる。第２の紐部分２４０８はそこから、紐経路の中間点に向かって送られる。第１の紐部分２４０６および第２の紐部分２４０８は、紐経路の中間点と遠位端との間で交差または合流し、そこで、本明細書で説明されるような細長い紐経路を有する紐ガイドを介して紐が送られる。
【００７２】
[0090]図２４の紐構造は、紐経路の近位端および中間部分の一次張力付与Ｔ１をもたらす。二次張力付与Ｔ２が、近位端および中間部分の遠位を横切る紐内で誘導され、三次張力付与Ｔ３が、図示されるように、紐経路の遠位端内で中間部分に隣接して誘導される。装具２４００の紐経路は、本明細書において説明および例示されているように一次張力付与Ｔ１が近位端および遠位端内で誘導され、二次および三次張力付与が近位端および遠位端の内側で誘導される、本明細書の様々な実施形態に記載されているように、第１の紐部分２４０６が遠位端に直ちに送られるように配置されてもよい。
【００７３】
[0091]図２５は、ユーザの腰の周りに適合し、治療効果を支持および／または提供するために張力付与することができるバックブレース２５００を示している。バックブレース２５００は、ユーザの腰の周りに位置決めされ、ともに結合され得る対向する端部２５２０および２５２２を含む。対向する端部２５２０および２５２２をともに結合することにより、ユーザの腰の周りでバックブレース２５００が全体的に閉鎖される。バックブレース２５００はまた、対向する側部を有する開口または閉鎖ゾーン２５２４を含み、これらの側部は、ユーザの腰の周りでバックブレース２５００の締め具合を調節するために、ともにまたは離間するように引っ張ることができる。紐は、バックブレース２５００の開口２５２４の周りの経路に沿って送られる。張力付与機構２５０２は、バックブレース２５００に取り付けられ、第１の紐部分２５０６および第２の紐部分２５０８と動作可能に結合される。張力付与機構２５０２の動作は、ユーザの腰の周りのバックブレース２５００の緊張または弛緩を行うために、第１の紐部分２５０６および第２の紐部分２５０８を緊張または弛緩させる。
【００７４】
[0092]図示のように、第１の紐部分２５０６は、チューブ２５０３を介して張力付与機構２５０２から紐経路の近位端に送られる。第１の紐部分２５０６は、１つまたは複数のガイド２５１２を介して近位端から紐経路の中間部分に向かって送られる。第２の紐部分２５０８は、張力付与機構２５０２から紐経路の中央部分に送られ、次いで、１つまたは複数のガイド２５１２を介して紐経路の遠位端に送られる。第１の紐部分２５０６および第２の紐部分２５０８は、開口の、張力付与機構２５０２から反対側に位置決めされる細長いガイド２５１０においてまたはその内部で交差する。
【００７５】
[0093]本明細書で説明するように、細長いガイド２５１０の長さは、ガイド２５１２の１つまたは複数の長さよりも長い。細長いガイド２５１０はまた、１つまたは複数のガイド２５１２から横方向に外側に位置付けられる。細長いガイド２５１０および１つまたは複数のガイド２５１２は、１つまたは複数のガイド２５１２の対向する端部が、図示のように細長いガイド２５１０の対向する端部の間に配置されるように配置される。
【００７６】
[0094]バックブレース２５００の紐構成は、バックブレース２５００の近位端および中間部分の一次張力付与Ｔ１をもたらす。二次張力付与Ｔ２が、近位端および中間部分のすぐ遠位を横切る紐内で誘導され、三次張力付与Ｔ３が、バックブレース２５００の中間部分に近接して遠位端において誘導される。本明細書に記載され例示された他の紐経路構成のいずれも、異なる装具および所望の張力付与を達成するためにバックブレース２５００に採用されてもよい。
【００７７】
[0095]図２６Ａ〜図２６Ｂは、ユーザの足首の周りに適合し、治療的有用性を支持および／または提供するために張力付与することができるアンクルブレース２６００を示している。アンクルブレース２６００は、ユーザの足を挿入することができる内部チャネルまたは空間２６２０を含む。アンクルブレース２６００はまた、ユーザの足の周りでアンクルブレース２６００を締め付けまたは緩めるために、ともにまたは離間するように動かすことができる対向する側部を有する開口または閉鎖ゾーン２６２４を含む。アンクルブレース２６００は、アンクルブレース２６００をユーザの足の周りに最初に閉じて締め付けるために、装具の上に巻き付けられ得るストラップ２６３０をさらに含む。ストラップ２６３０は、ストラップ２６３０を閉じた状態で保持および／または維持するために使用され得る結合部材２６３２を含み得る。
【００７８】
[0096]紐が、開口または閉鎖ゾーン２６２４の対向する側部の間の経路に沿って送られる。張力付与機構２６０２は、アンクルブレース２６００に取り付けられ、本明細書において説明されているように、第１の紐部分２６０６および第２の紐部分２６０８と動作可能に結合される。第１の紐部分２６０６は、張力付与機構２６０２から紐経路の近位端に送られる。第２の紐部分２６０８は、張力付与機構２６０２から紐経路の遠位端に送られる。第１の紐部分２６０６および第２の紐部分２６０８は、紐経路の中間部分において交差または結合している。アンクルブレース２６００の紐構成は、図示のように、紐経路の近位端および遠位端の一次張力付与Ｔ１および紐経路の中間部分の二次張力付与Ｔ２をもたらす。張力付与機構２６０２は、アンクルブレース２６００が足首の周りに適合してユーザの足首および足の周りのアンクルブレース２６００の適合および／または張力を調整した後に操作されてもよい。
【００７９】
[0097]図２７〜図３０は、代替的な紐経路構成の他の実施形態を示す。図２７は、前に説明したような張力付与機構２７０２および紐を含む、ブーツまたはハイカットシューズ２７００を示す。前述の実施形態との違いは、第１の紐部分２７０６と第２の紐部分２７０８の両方が、細長いガイドを介してブーツ２７００の開口または閉鎖ゾーンに平行に送られることである。具体的には、第１の紐部分２７０６は、張力付与機構２７０２から紐経路の近位端に送られ、そこで、第１の紐部分２７０６が開口を横切って２回横断する。次いで、第１の紐部分２７０６は、細長いガイド２７１２を介して紐経路の中間部分に直ちに送られ、そこで、第１の紐部分２７０６が再び開口を横断する。第２の紐部分２７０８は、張力付与機構２７０２から細長いガイドを通じて中間部分に近接するように送られ、そこで、第２の紐部分２７０８は開口を横切って２回横断する。第２の紐部分２７０８は、その後、紐経路の遠位端に送られた後、再び開口を横断する。第１の紐部分２７０６および第２の紐部分２７０８は、紐経路の遠位端近くで合流する。
【００８０】
[0098]図示されているように、図２７の紐経路は、開口または閉鎖ゾーンの対向する両側に細長いガイドを有するブーツ２７００をもたらす。結果として生じる張力は、紐経路の近位端付近の第１の紐部分２７０６と第２の紐部分２７０８の両方の一次張力Ｔ１、紐経路の上端および中間部分付近の両方の紐の二次張力Ｔ２、および、紐経路の中間部分および遠位端の三次張力Ｔ３である。四次張力Ｔ４もまた、第１の紐部分および第２の紐部分が合流する紐経路の遠位端付近で生じる。
【００８１】
[0099]図２８は、張力付与機構２８０２から靴の開口を横切って紐経路の近位端に送られる第１の紐部分２８０６を示す。第１の紐部分２８０６は、次いで、紐経路の遠位端に、開口を横切って送られる。第２の紐部分２８０８は、張力付与機構から紐経路の近位端に送られ、そこで、第２の紐部分は、紐経路の遠位端に向かって経路付けされるときに開口を横切って数回横断する。紐構成は、紐経路の近位端の一次張力付与Ｔ１と、そこから図示のように紐経路に長手方向に沿った紐経路の比較的均一な張力付与とをもたらす。図２９は、張力付与機構２９０２が靴の側面に位置決めされていることを除いて、第１の紐部分２９０６および第２の紐部分２９０８の図２８と同様の紐形状を示す。
【００８２】
[0100]図３０は、張力付与機構３００２が靴の側面に位置決めされ、第１の紐部分３００６が紐経路の近位端に送られ、紐経路に沿って紐経路の遠位端に向かって遠位方向に横断する実施形態を示す。第２の紐部分３００８は、チューブ３０１０を介して靴のかかとまたは襟ぐりの周りに送られる。第２の紐部分３００８は、紐経路の遠位端に送られ、そこから紐経路の近位端に向かって近位方向に横断する。図３０の紐構成の結果は、紐経路の近位端および遠位端の一次張力付与Ｔ１、近位端および遠位端のすぐ内側の二次張力付与Ｔ２、および紐経路の中間部分の三次張力Ｔ３である。
【００８３】
[0101]いくつかの実施形態では、チューブ３０１０は、その部分にあるチューブ区画が互いに対して動くことを可能にする凹部、窓、または開放部分３０１２を含むことができる。例えば、チューブ３０１０は、開放部分３０１２に接続されていない、または１つのチューブ区画が別のチューブ区画内にスライド可能に配置されている、別個のチューブ区画を含むことができる。このようにして、第２の紐部分３００８が張力付与されると、別々のチューブ区画が互いに対して動き、それによって靴の襟ぐりまたはかかとの周りを狭窄または圧縮することができる。
【００８４】
[0102]いくつかの実施形態では、一対のプルタブ３００５ａおよび３００５ｂが、第１の紐部分３００６および第２の紐部分３００８にそれぞれ結合されてもよい。１対のプルタブ３００５ａおよび３００５ｂは、張力付与機構からの紐のより均一な排出を引き起こすために同時に引っ張ることができる。このようにして、一対のプルタブ３００５ａおよび３００５ｂは、図３４に示す構成要素３４１０と同様に機能することができる。
【００８５】
[0103]図３１は、靴のかかとまたは襟ぐりの周りに紐の一部分が送られる別の実施形態を示す。具体的には、第２の紐部分３１０８は、張力付与機構からチューブ３１１０を介して靴のかかとの周りで送られる。図３０の実施形態とは異なり、第２の紐部分３１０８は、紐経路の近位端に送られ、一方、第１の紐部分３１０６は、張力付与機構から紐経路の遠位端に送られる。図３１の実施形態の張力付与は、近位端における第１の紐部分３１０６および第２の紐部分３１０８の交差に起因して、紐経路の近位端における張力付与のわずかな増大を達成することができることを除いて、図３０のものと類似している。
【００８６】
[0104]図３２は、靴のかかとに位置決めされた張力付与機構３２０２を示す。第１の紐部分３２０６は、チューブ３２１０を介して張力付与機構３２０２から紐経路の近位端に送られ、一方、第２の紐部分３２０８は、チューブ３２１２を介して張力付与機構３２０２から紐経路の中間部分に送られる。図３２の紐構成は、紐経路の近位端および中間部分の一次張力付与Ｔ１および上記部分のすぐ遠位を横切る紐に沿った二次張力付与Ｔ２をもたらす。２つの紐部分が合流または収束する紐経路の遠位端に、三次張力付与Ｔ３が生じる。
【００８７】
[0105]図３３は、張力付与機構３３０２が靴のかかとの上に位置決めされ、第１の紐部分３３０６が、チューブ３３１０を介して張力付与機構３３０２から紐経路の近位端に送られる別の実施形態を示す。第２の紐部分３３０８は、チューブ３３１２を介して、張力付与機構３３０２から紐経路の遠位端に送られる。図３３の紐構成は、紐経路の近位端および遠位端の一次張力付与Ｔ１、紐経路の近位端および遠位端の内側の二次張力付与Ｔ２、および２つの紐部分が合流または収束する紐経路の中間部分の三次張力Ｔ３をもたらす。
【００８８】
[0106]図３４は、張力付与機構３４０２からの不均一な紐放出に起因する問題を排除または最小化するために使用され得る構成要素３４１０の一実施形態を示す。前述したように、靴の前皮部分の開口の結果として、第１の紐部３４０６が前皮部分を横切って配置されること、および、前皮が枢動するように開くことに起因して、第２の紐部分３４０８よりも第１の紐部分３４０６が張力付与機構３４０２から長く排出され得る。上述したように、第２の紐部分３４０８の任意の排出されない紐は、締め付け機構の内部に配置されたままであり、締め付け機構の内部で絡み合いもしくは拘束され、または他の紐張力の些細な問題を引き起こす可能性がある。
【００８９】
[0107]構成要素３４１０は、第１の紐部分３４０６および第２の紐部分３４０８に直接取り付けられており、紐の両方の部分を張力付与機構の内部から均一に排出するように引っ張られ得るため、これらの問題を軽減する。構成要素３４１０を引っ張ると、両方の紐部分３４０６，３４０８が張力付与機構３４０２から均等に排出され、これによって、紐が内部に留まらず、拘束、絡み合いまたは他の問題を引き起こさないことが保証される。
【００９０】
[0108]図３５は、前皮とかかととの間の靴の側面に結合された張力付与機構３５０２を示す。第１の紐部分３５０６は、張力付与機構３５０２から紐経路の近位端に送られ、一方、第２の紐部分３５０８は、張力付与機構からかかとに向かって後方に送られる。第２の紐部分３５０８は、後部ストラップであってもよいガイド３５１０内に位置決めされ、そこから靴のソールに沿って紐経路の中間部分に向かって送られる。第１の紐部分３５０６および／または第２の紐部分３５０８は、チューブ３５１２、ウェビングガイド３５１４、または他のガイドを介して靴に沿って送ることができる。いくつかの例では、チューブ３５１２は、アッパーの隣接する層をともに結合して経路、ルーメンまたはチャネルを形成することによって形成されてもよい。アッパーの隣接する層は、接着、縫製、熱溶接、ＲＦ溶接、または他の結合技法によって結合することができる。
【００９１】
[0109]紐締めシステムを物品または履物と結合する方法が下記に提示される。この方法は、張力付与機構を物品に結合するステップと、底端および上端を有する紐経路を画定するように、複数のガイド部材を物品と結合するステップとを含む。
張力付与機構の動作が紐の第１の部分と第２の部分の両方を同時に緊張させるように、第１の紐部分および第２の紐部分を張力付与機構と結合される。第１の部分が張力付与機構から紐経路の上端に直接送られ、上端から紐経路の底端に向かって送られるように、また、第２の部分が張力付与機構から紐経路の底端に隣接する位置へと直接送られるように、複数のガイド部材を介して紐経路に沿って紐が送られ、それによって、第１の紐部分および第２の紐部分が張力付与機構を介して緊張することによって、紐経路の上端、および、底端に隣接する位置が直ちに緊張する。本明細書の様々な実施形態に示されるように、紐は、第１の紐部分および第２の紐部分が紐経路の側面のような紐経路に沿ったある点で収束する単一の一体構成要素であってもよい。
【００９２】
[0110]いくつかの実施形態では、紐経路の底端に隣接する位置は、紐経路の上端および底端から等距離にある位置である。このような実施形態では、紐の第２の部分は、紐経路の底端に隣接する位置から紐経路の底端に向かって送られる。他の実施形態では、第２の紐部分は、張力付与機構から紐経路の底端に直に送られ、そこから紐経路の上端に向かって送られ、それによって、張力付与機構を介した第１の紐部分および第２の紐部分の緊張が、紐経路の上端および底端を直ちに緊張させる。いくつかの実施形態では、第１の紐部分または第２の紐部分は、靴のかかとまたは襟ぐりの周りに送られる。いくつかの実施形態では、張力付与機構は、靴のかかとに位置決めされる。
【００９３】
[0111]本明細書に記載された実施形態は、手動リールベースの装置を利用して図示されているが、様々な他の張力付与機構または装置を使用することができることを理解されたい。例えば、引っ張りコード装置および／または電動装置を利用して、必要に応じて紐を緊張させることができる。特定の実施形態では、電動紐張力付与装置は、靴のソール内またはソールに隣接して隠されてもよく、紐は、アッパーの１つまたは複数の層の下で電動紐張力付与装置に送られてもよい。
【００９４】
[0112]様々な構成要素のいくつかの実施形態および配置が本明細書に記載されているが、様々な実施形態に記載された様々な構成要素および／または構成要素の組み合わせが改変、再構成、変更、調整などされ得ることを理解されたい。例えば、記載された実施形態のいずれかにおける構成要素の配置は、調整もしくは再配置されてもよく、および／または、様々な記載された構成要素は、それらが現在記載または利用されていない実施形態のいずれかにおいて利用されてもよい。このように、様々な実施形態は、本明細書に記載された特定の構成および／または構成要素構造に限定されないことを理解されたい。
【００９５】
[0113]さらに、本明細書に開示された特徴および要素のいかなる実行可能な組み合わせも開示されていると考えられることが理解されるべきである。さらに、本開示の実施形態に関して特徴が論じられていないときはいつでも、当業者はこれによって、本発明のいくつかの実施形態がそのような特徴を暗黙的かつ具体的に排除し得、それによって、不利な特許請求項の限定に対する支持を提供することを通告される。
【００９６】
[0114]いくつかの実施形態を説明してきたが、本発明の精神から逸脱することなく、様々な修正、代替構成、および均等物を使用できることは、当業者には理解されるであろう。さらに、本発明を不必要に不明瞭にすることを避けるために、多くの周知のプロセスおよび要素は記載されていない。したがって、上記の説明は、本発明の範囲を限定するものと解釈すべきではない。
【００９７】
[0115]ある範囲の値が提供される場合、その範囲の上限と下限との間に、文脈上明確に指示されない限り、下限の単位の１０分の１までの介在する各値も具体的に開示されることが理解される。記載された範囲内の任意の記載された値または介在する値と、その記載された範囲内の任意の他の記載または介在する値との間のより小さな各範囲が包含される。これらのより小さい範囲の上限および下限は、独立して範囲内に含まれまたは排除されてもよく、そのより小さい範囲内にいずれかの限度が含まれる、いずれの限度も含まれない、または両方の限度が含まれる各範囲も、記載された範囲内の任意の具体的に除外される限界に依存して、本発明の中に包含される。記載された範囲に一方または両方の限度が含まれる場合、それらの含まれる限度のいずれかまたは両方を除く範囲も含まれる。
【００９８】
[0116]本明細書および添付の特許請求の範囲で使用される場合、単数形「ａ」、「ａｎ」および「ｔｈｅ」は、文脈上他に明確に指示されない限り、複数の指示対象を含む。したがって、例えば、「プロセス」への言及は複数のこのようなプロセスを含み、「デバイス」への言及は、当業者に知られている１つまたは複数のデバイスおよびその等価物への言及を含む、などである。
【００９９】
[0117]また、本明細書および添付の特許請求の範囲で使用される場合、「備える（ｃｏｍｐｒｉｓｅ）」、「備えている（ｃｏｍｐｒｉｓｉｎｇ）」、「含む（ｉｎｃｌｕｄｅ）」、「含んでいる（ｉｎｃｌｕｄｉｎｇ）」および「含む（ｉｎｃｌｕｄｅｓ）」という用語は、記載された特徴、整数、構成要素またはステップの存在を指定することを意図するが、１つまたは複数の他の特徴、整数、構成要素、ステップ、動作またはグループの存在または追加を排除するものではない。
【図１】
2018530405.tif 000003
【図２】
2018530405.tif 000004
【図３】
2018530405.tif 000005
【図４】
2018530405.tif 000006
【図５】
2018530405.tif 000007
【図６】
2018530405.tif 000008
【図７】
2018530405.tif 000009
【図８】
2018530405.tif 000010
【図９Ａ】
2018530405.tif 000011
【図９Ｂ】
2018530405.tif 000012
【図１０】
2018530405.tif 000013
【図１１】
2018530405.tif 000014
【図１２】
2018530405.tif 000015
【図１３】
2018530405.tif 000016
【図１４Ａ】
2018530405.tif 000017
【図１４Ｂ】
2018530405.tif 000018
【図１５Ａ】
2018530405.tif 000019
【図１５Ｂ】
2018530405.tif 000020
【図１５Ｃ】
2018530405.tif 000021
【図１６】
2018530405.tif 000022
【図１７】
2018530405.tif 000023
【図１８】
2018530405.tif 000024
【図１９】
2018530405.tif 000025
【図２０】
2018530405.tif 000026
【図２１Ａ】
2018530405.tif 000027
【図２１Ｂ】
2018530405.tif 000028
【図２２Ａ】
2018530405.tif 000029
【図２２Ｂ】
2018530405.tif 000030
【図２３】
2018530405.tif 000031
【図２４】
2018530405.tif 000032
【図２５】
2018530405.tif 000033
【図２６Ａ】
2018530405.tif 000034
【図２６Ｂ】
2018530405.tif 000035
【図２７】
2018530405.tif 000036
【図２８】
2018530405.tif 000037
【図２９】
2018530405.tif 000038
【図３０】
2018530405.tif 000039
【図３１】
2018530405.tif 000040
【図３２】
2018530405.tif 000041
【図３３】
2018530405.tif 000042
【図３４】
2018530405.tif 000043
【図３５】
2018530405.tif 000044
【国際調査報告】
2018530405.tif 000045
2018530405.tif 000046
2018530405.tif 000047
2018530405.tif 000048